(57)【要約】      （修正有）【課題】セーターやカットソー等、頭から被って着る物を試着する際、又、メークアップ後に着替えをする際に、ファンデーションや口紅が試着品や衣服に付着しない様、顔を覆う半透明でゴムを固定手段とした使い捨て可能な汚れ防止フェースカバーを提供する。【解決手段】透視可能な多角形の不織布の上辺と下辺に輪状になったゴム紐２を取付ける。取付け方法は、ゴムを伸ばした状態で布のふちでゴム紐を包み込んで、布は粘着テープ３で止める。【選択図】図２
2006087882.tif 000002
【特許請求の範囲】
【請求項１】
顔面を覆うカバー部▲１▼と、それを固定する為の輪状のゴム紐▲２▼からなる使い捨て汚れ防止フェースカバー。
【請求項２】
固定手段が輪状のゴム紐からなり、顔の周囲で固定する構造からなる使い捨て汚れ防止フェースカバー。
【請求項３】
カバー部が通気性及び透視性を有する多形形の不織布、布、紙からなる使い捨て汚れ防止フェースカバー。
【請求項４】
顔面を覆うカバー部は、上辺が頭頂部に、下辺は顎部に固定し、左右の耳の辺は布とゴム紐は離れた状態になっている使い捨て汚れ防止フェースカバー。
【請求項５】
ゴム紐は上辺と下辺に粘着テープにより取り付けられている使い捨て汚れ防止フェースカバー。
【請求項６】
ゴム取付方法は、粘着テープの他、融着による取付も可能な使い捨て汚れ防止フェースカバー。
【請求項７】
ゴム使用により、顔面のみを覆う事を可能にした使い捨て汚れ防止フェースカバー。
【請求項８】
顔面のみを覆う事で、安価な不織布を最小限の大きさで使用し、ゴム取り付け方法も粘着テープで簡単に出来る様にし、材料費、製作費を最小限にし使い捨てを可能にした使い捨て汚れ防止フェースカバー。
【請求項９】
女性のほとんどが、衣服に付く程の整髪料を付けていないので、頭は覆う必要はないと考え、顔面だけを覆う構造となっている使い捨て汚れ防止フェースカバー。
【請求項１０】
個々に袋入りにする事で、未使用である事が一目でわかり、携帯もでき、試着時だけでなくメークアップ後に着替えをする時はどこでも使える使い捨て汚れ防止フェースカバー。
【発明の詳細な説明】
【技術分野】
【０００１】  本発明はセーターやカットソー等、頭から被って着る物を試着する際にファンデーションや口紅が試着品に付着しない様顔を覆う試着用使い捨て汚れ防止フェースカバーに関するものである。
【背景技術】
【０００２】  従来はスカーフや風呂敷等を頭に被り首の位置でそれらの端を結び固定して試着を行っていた。最近、使い捨て可能なフェースカバーを使用する所もあります。しかしながらそれらは、固定手段がないもの（特許文献３）やカバーの裾を延長した部分をあごの下で結び固定手段としているもの（特許文献１、特許文献２）があります。    先行技術文献【特許文献１】特開平１０−１１７８４３
【特許文献２】特開平１１−１１３６３２
【特許文献３】実用新案  第３０３７９８６号
【発明の開示】
【発明が解決しようとする課題】
【０００３】  解決しようとする問題点は、まず直接顔につける物なので衛生的である事です。フェースカバーは使い捨てでなければなりません。そして透視可能でなければ着替えができません。使い捨てで透視可能なフェースカバーはありますが、いずれも固定手段に問題があります。固定手段がなければずれたりめくれたりしてフェースカバーの目的が果たせません。又、首の位置で紐で結ぶものはその作業が面倒であったり通気性も悪く息苦しく暑いという問題があります。
【問題を解決するための手段】
【０００４】１、顔面を覆うカバー部▲１▼と、それを固定する為の輪状のゴム紐▲２▼からなる使い捨て汚れ防止フェースカバー。２、固定手段が輪状のゴム紐からなり、顔の周囲で固定する構造からなる使い捨て汚れ防止フェースカバー。３、カバー部が通気性及び透視性を有する多角形の不織布、布、紙からなる使い捨て汚れ防止フェースカバー。４、顔面を覆うカバー部は、上辺が頭頂部に、下辺は顎部に固定し、左右の耳の辺は布とゴム紐は離れた状態になっている使い捨て汚れ防止フェースカバー。５、ゴム紐は上辺と下辺に粘着テープにより取り付けられている使い捨て汚れ防止フェースカバー。６、ゴム取付方法は、粘着テープの他、融着による取付も可能な使い捨て汚れ防止フェースカバー。７、ゴム使用により、顔面のみを覆う事を可能にした使い捨て汚れ防止フェースカバー。８、顔面のみを覆う事で、安価な不織布を最小限の大きさで使用し、ゴム取り付け方法も粘着テープで簡単に出来る様にし、材料費、製作費を最小限にし使い捨てを可能にした使い捨て汚れ防止フェースカバー。９、女性のほとんどが、衣服に付く程の整髪料を付けていないので、頭は覆う必要はないと考え、顔面だけを覆う構造となっている使い捨て汚れ防止フェースカバー。１０、個々に袋入りにする事で、未使用である事が一目でわかり、携帯もでき、試着時だけでなくメークアップ後に着替えをする時はどこでも使える使い捨て汚れ防止フェースカバー。
【発明の効果】
【０００５】▲１▼本発明の特徴は頭からすっぽり被るものではなく顔面だけを覆うものである事です。それによって首から上をすっぽり覆うと云う事の不安感や不快感をより少なくし使用感を良くした。▲２▼ゴムを固定手段に使用した事で布や紐を巻いたり結んだりの作業ではなく、簡単に装着・脱着が出来る。又、固定位置が首ではなく顔周りである事でヘアースタイルが崩れる事もありません。▲３▼顔全体を覆い、頭頂部と顎部は固定されているのでめくれたりずれたりする事はなく、ファンデーションや口紅が衣服に付着するのを完全に防止した。▲４▼透視可能な不織布を使用しているので装着したまま何度でも着替えが出来る。▲５▼顔面の両耳側は布と皮膚が密着しない構造になっているので通気性がよく、暑くて息苦しい事を解決しています。▲６▼最小限の大きさの不織布とゴム紐だけを使用し、製造方法も粘着テープでゴム紐を取り付ける簡単な方法で、材料費・製作費を最小限にして使い捨てを可能にし、衛生面での問題を解決した。▲７▼一個一個袋入りなので、未使用である事が一目でわかり、婦人服店においてはお客様への心のこもったサービスになる。
【発明を実施するための最良形態】
【０００６】  透視可能な多角形または楕円形の不織布▲１▼［図１］の上辺と下辺に輪状になったゴム紐▲２▼［図２］を取付ける。  取付け方法は、上辺と下辺の辺のふちに５ｍｍ幅の粘着テープ▲３▼を取り付け、ゴム紐を伸ばした状態で包み込んで粘着テープの付いたふちを折り曲げる。［図３］粘着テープの他、熱融着やミシン等でゴム紐を取り付ける方法でもよい。  ゴム紐を布に密着するのは、頭頂部ａにあたる上辺２０ｃｍ〜２５ｃｍの幅と、顎部ｂにあたる下辺２０ｃｍ〜２５ｃｍの幅の２ヶ所［図５］で、左右の辺はゴムと布が離れた状態になっている。［図６］装着後は両サイドから手を入れ適度にふくらませてゆるみをもたせる事で顔面に布がくっつくのを防ぎ不快感を少なくします。  又、ゴム紐を固定手段に使っているので装着脱着が非常に簡単にでき、試着が面倒という事がなくなります。  さらに、一個づつ袋入りにする事で未使用である事が一目でわかり、安心して使用でき、婦人服店においては心のこもったサービスとなります。一個づつ袋入りなので、携帯が可能となり、外出時や家庭でもメークアップ後に着替えをする際はどこでも使用できます。  本発明はフェースカバーを使用する側のお客様の多くに意見を参考にしました。・スカーフ等使い捨てでないものは衛生上悪く、使用したくない。・透視できないものは着替えがしづらい。・頭からすっぽりかぶるものは、暑く、息苦しく不快である。・固定手段がないものは、ずれたりめくれたりし、化粧くずれがする。・固定手段が結ばなくてはならないものは装着脱着が面倒である。・カバーが顔にくっつくのは不快である。・頭まで覆うのは、脱着の際ヘアースタイルがくずれる。頭は覆う必要はない。・できれば試着をして購入を決めたいがフェースカバーを使うのが面倒である。手軽で素早く使えるフェースカバーがあれば、試着をしたい。本発明は、以上の従来の問題点をすべて解決した使い捨て汚れ防止フェースカバーです。  （実施例１）・婦人服店において、セーターやカットソーの試着の際・一般家庭において、メークアップ後に着替えをする際・役者等がメークアップ後に着替えをする際・外出時に外出先で着替えをする際
【産業上の利用可能性】
【０００７】  個々に袋入りにすることで、必要なだけ持ち運べて試着以外にも一般家庭や劇場の楽屋など外出時にもメークアップ後に着替えをする場合、どこでも使用できます。
【図面の簡単な説明】
【０００８】
【図１】本発明の汚れ防止フェースカバーの実施例の製造する過程における平面図
【図２】本発明の汚れ防止フェースカバーの実施例の製造過程を示す図
【図３】本発明の汚れ防止フェースカバーの実施例の製造過程を示す図（ゴムを伸ばした状態）
【図４】本発明の汚れ防止フェースカバーの実施例の完成図（たたんだ状態）
【図５】本発明の汚れ防止フェースカバーの実施例の使用状態を示す正面図
【図６】本発明の汚れ防止フェースカバーの実施例の使用状態を示す側面図
【図７】本発明の汚れ防止フェースカバーの実施例の使用状態を示す背面図
【符号の説明】
【０００９】▲１▼−カバー用布▲２▼−ゴム紐▲３▼−粘着テープａ−顔面ｂ−頭ｃ−髪
【図１】
2006087882.tif 000003
【図２】
2006087882.tif 000004
【図３】
2006087882.tif 000005
【図４】
2006087882.tif 000006
【図５】
2006087882.tif 000007
【図６】
2006087882.tif 000008
【図７】
2006087882.tif 000009